(57)【要約】【課題】表示桁の一部に不具合が生じて保守を行う場合に、装置全体の電源を“オフ”しなくてもよい多桁スクロール装置を提供する。【解決手段】本発明の多桁スクロール表示装置１００において、機能停止選択部である電源制御部３０と制御切替部４０とを用いて、保守を必要とする例えばＬＥＤパネル２１２に対応した部分のみの機能を停止させて保守を行う。すなわち、制御切替部４０のスイッチ４０２を“オフ”にすることにより、ＬＥＤ表示部２０２に電源を供給する電源制御部３０の電源３１２を“オフ”に設定して、ＬＥＤ表示部２０２およびＬＥＤパネル２１２の機能を停止させ、保守を行えばよい。したがって、保守のために多桁スクロール表示装置の全体を機能停止状態にする必要はなく、一部分のみの機能停止でよい。このことにより、保守の間においてもスクロールされる情報は充分に理解可能な表示となる。【選択図】　　　　図２
2004109322.tif 000002
【特許請求の範囲】
【請求項１】
スクロール表示すべき多数桁の表示データを記憶している記憶装置に格納された表示データを連続した複数のウィンドを通して読み取るとともに、前記複数のウィンドの読取位置を移動して、各ウィンドを通して読み取った表示データをそれぞれスクロール表示データとして出力する複数の表示データ読取出力部と、
各ウィンドに対応するように配置された複数のＬＥＤパネルと、
各ＬＥＤパネルに対応して配置され、表示データ読取出力部が各ウィンドを通して読み取り出力したスクロール表示データを受け取り、受け取ったスクロール表示データを各ウィンドに対応してＬＥＤパネルのそれぞれに表示させる複数のＬＥＤ表示部と、
前記複数のＬＥＤ表示部のそれぞれと、それに対応するＬＥＤパネルとの組合せを個別的に選択し、選択したその組合せの機能を停止させ、停止させた部分の保守を可能にさせることができる機能停止選択部と、
を備えてなる多桁スクロール表示装置。
【発明の詳細な説明】
【０００１】
【発明の属する技術分野】
本発明は多桁スクロール表示装置に関し、特に、スクロール表示すべき多数桁の表示データを記憶している記憶装置と、連続した複数のウィンドを通して記憶装置に格納された表示データを読み取るとともに、前記複数のウィンドの読取位置を移動して、各ウィンドを通して読み取った表示データをそれぞれスクロール表示データとして出力する複数の表示データ読取出力部と、各ウィンドに対応するように配置された複数のＬＥＤパネルと、各ＬＥＤパネルに対応して配置され、表示データ読取出力部が各ウィンドを通して読み取り出力したスクロール表示データを受け取り、受け取ったスクロール表示データを各ウィンドに対応してそれぞれ表示させる複数のＬＥＤ表示部とを有する多桁スクロール表示装置に関する。
【０００２】
【従来の技術】
図４は、公知例（例えば特許文献参照）に開示された発明の多桁スクロール表示装置を示すブロック図、図５は、図４の多桁スクロール表示装置における各種信号の関係を示すタイミングチャートである。図４の多桁スクロール表示装置２００は、ＣＰＵ１１と、発振器１２と、伝送用分周器１３と、画面表示制御部１４と、アドレス切替器（ＭＰＸ）１５と、連結されたＶＲＡＭ１６１〜１６５と、バスドライバ１７と、パラレル・シリアル変換器（Ｐ／Ｓ変換器）１８１〜１８５と、ＬＥＤ表示タイミング生成部１９と、ＬＥＤ表示部５０１〜５０５と、ＬＥＤパネル５１１〜５１５とを有する。
【０００３】
【特許文献】
特開２００１−２８２１７７号公報（第３−５頁、図１）
【０００４】
図４の多桁スクロール表示装置２００において、ＣＰＵ１１は、この多桁スクロール表示装置２００の全体を制御する。発振器１２は、一定周期の原振クロックを発生する。分周器１３は、発振器１２からの原振クロックを分周して画像表示のためのＣＬＫ信号を生成する。画面表示制御部１４は、ＶＲＡＭに格納されている表示データのうち、どのアドレスに格納されている内容を表示させるかを読み出しアドレスによって制御する。アドレス切替器（ＭＰＸ）１５は、ＣＰＵ１１のＶＲＡＭに対するアクセス（書き込みアドレス）と、画面表示制御部１４のＶＲＡＭに対するアクセス（読み出しアドレス）とが衝突しないようにする。
【０００５】
ＶＲＡＭは、ＣＰＵが書き込む表示データを受け取り格納するとともに、受け取った表示データをＬＥＤパネルに対して出力する。バスドライバ１７は、ＣＰＵ１がデータ書き込みのためにＶＲＡＭにアクセスする際に、データバスとの接続を制御する。パラレル／シリアル変換部１８１〜１８５は、ＶＲＡＭから読み出したパラレルデータをシリアルデータ（ＲＤＡＴＡ信号およびＧＤＡＴＡ信号）に変換する。ＬＥＤ表示タイミング生成部１９は、ＬＥＤパネルへの表示を行う場合に必要となる制御信号（ＣＬＫ信号，ＬＡＴＣＨ信号、ＲＥＳＥＴ信号）を生成する。
【０００６】
上述のスクロール表示装置２００において、ＬＥＤパネル６１１〜６１５における画像（文字）表示を制御するための一般的な方式は、ダイナミックスキャン方式と呼ばれる方式であって、動作は以下に説明するように行われる。この場合、ＬＥＤパネルの表示のための画像表示データは、ＲＤＡＴＡ（赤色表示用データ）およびＧＤＡＴＡ（緑色表示用データ）であり、これらの表示の制御のための制御信号は、ＣＬＫ（赤色表示用データおよび緑色表示用データを表示文字分送信するための信号）、ＬＡＴＣＨ（１ラスタ分のデータを保持し、一定期間点灯させる信号），ＲＥＳＥＴ（１行分のデータ表示の終わりを知らせる信号）である。これらの信号を図５に示すタイミングでＬＥＤパネルに送信することで、ＬＥＤパネルに文字を表示することができる。
【０００７】
この例の１台のＬＥＤパネルについて述べれば、１文字１６ドット角構成で、２０文字を表示する場合、水平方向のドット数は、１６×２０＝３２０ドットとなる。そこで、図５に示すように、ＲＤＡＴＡを１ドットずつ３２０ドットと、ＧＤＡＴＡを１ドットずつ３２０ドットとをＣＬＫに同期して２０文字表示の１ラスタ分出力し、出力完了時にＬＡＴＣＨ信号を送信して１ラスタ目のデータを確定し、対応するＬＥＤを点灯させる。２ラスタ目以降も１６ラスタ目まで同様な方法で、データを送信し、ＬＥＤを点灯して行く。１６ラスタ分、すなわち、１スキャン分のデータの送信が終了したら、ＲＥＳＥＴ信号を送信してＬＥＤのラスタカウンタをクリアさせ、ＬＥＤの点灯を１６ラスタ目から１ラスタ目に戻し、上述した動作を繰り返し、文字をＬＥＤパネルに表示していく。
【０００８】
【発明が解決しようとする課題】
上述した多桁スクロール表示装置は、表示桁数が２０桁のようにあまり多くない場合には問題がないが、表示桁数を次第に増やしていくと、ＬＥＤパネルに対するクロックとデータとの遅延やデューティ比の変化により信号に位相差が生じ、データを正常に表示できなくなる恐れがある。そこで、上述の多桁スクロール表示装置においては、１００桁の表示を２０桁の表示に分割し、複数の２０桁の表示を別々のＬＥＤパネルに分担させ、各ＬＥＤパネルの表示を同期してスクロールさせることにより、表示桁数が増加しても、クロックとデータとの遅延やデューティ比の変化により信号に位相差が発生しないように改良した。しかし、従来の構成では、表示桁の一部に不具合が生じると、保守を行う場合に、表示装置全体の電源をオフしなければならないという問題がある。
【０００９】
本発明は、上記の問題を解決するためになされたものであって、表示桁数が増加しても、クロックとデータとの遅延やデューティ比の変化により信号に位相差が発生しないという利点を維持しつつ、表示桁の一部に不具合が生じて保守を行う場合に、表示装置全体の電源をオフしなくてもよい多桁スクロール装置を提供することを目的とする。
【００１０】
【課題を解決するための手段】
前述した課題を解決するために、本発明は、スクロール表示すべき多数桁の表示データを記憶している記憶装置に格納された表示データを連続した複数のウィンドを通して読み取るとともに、前記複数のウィンドの読取位置を移動して、各ウィンドを通して読み取った表示データをそれぞれスクロール表示データとして出力する複数の表示データ読取出力部と、各ウィンドに対応するように配置された複数のＬＥＤパネルと、各ＬＥＤパネルに対応して配置され、表示データ読取出力部が各ウィンドを通して読み取り出力したスクロール表示データを受け取り、受け取ったスクロール表示データを各ウィンドに対応してＬＥＤパネルのそれぞれに表示させる複数のＬＥＤ表示部と、前記複数のＬＥＤ表示部のそれぞれと、それに対応するＬＥＤパネルとの組合せを個別的に選択し、選択したその組合せの機能を停止させ、停止させた部分の保守を可能にさせることができる機能停止選択部とを備えてなる。
【００１１】
このような構成によれば、機能停止選択部は、保守を必要とするＬＥＤパネルに対応した部分のみを機能停止に設定して、保守することを可能にすればよい。したがって、多桁スクロール表示装置の全体を機能停止状態にする必要はなく、保守を行っている間においてもスクロールされる情報は充分に理解可能なものとなる。
【００１２】
【発明の実施の形態】
以下、本発明の実施の形態について添付図面に基づいて説明する。図１は、本発明の多桁スクロール表示装置の実施の形態を示すブロック図、図２は、図１で示される電源制御部と制御切替部とを詳細に示すブロック図、図３（ａ）は、図１で示されるＶＲＡＭに対してそれぞれ設定されるデータ読み出しのためのウィンドを示す図、図３（ｂ）は、図３（ａ）で示されたウィンドウを日本語文字の４桁分移動させ、５桁目に移動させたところを示す図、図３（ｃ）は、図３（ａ）によって示された表示データに基づいて、ＬＥＤパネルへの表示がスクロールされるのを説明するための図である。
【００１３】
図１の多桁スクロール表示装置１００は、ＣＰＵ１１と、発振器１２と、伝送用分周器１３と、画面表示制御部１４と、アドレス切替器（ＭＰＸ）１５と、連結されたＶＲＡＭ１６１〜１６５と、バスドライバ１７と、パラレル・シリアル変換器（Ｐ／Ｓ変換器）１８１〜１８５と、ＬＥＤ表示タイミング生成部１９と、ＬＥＤ表示部２０１〜２０５と、ＬＥＤパネル２１１〜２１５と、電源制御部３０と、制御切替部４０とを有する。また、図２に示されるように、電源制御部３０は、電源３１１〜３１５と、電源駆動部３２１〜３２５とを有し、制御切替部４０はスイッチ４０１〜４０５を有する。この例の場合、電源制御部３０と制御切替部４０とが機能停止選択部として動作している。
【００１４】
図１の多桁スクロール表示装置１００において、ＣＰＵ１１は、１００桁の表示データ“Ａ，Ｂ，〜，Ｙ（これらの１英文字は、それぞれ４桁の日本語文字表示、例えば“Ａ＝天気予報”を表しているものとする）をＶＲＡＭ１６１〜１６５のそれぞれに同じように書き込む。この場合、ＣＰＵ１１は、ＶＲＡＭ書込アドレスをアドレス切替器１５からＶＲＡＭ１６１〜１６５のそれぞれに同じように指示させ、データバスを制御するバスドライバ１７を介して、ＶＲＡＭ１６１〜１６５のそれぞれに表示データ“Ａ，Ｂ，〜，Ｙ”を与えている。したがって、表示データの書き込み後においては、図３（ａ）に示されるように、ＶＲＡＭ１６１〜１６５のそれぞれに同じ表示データ“Ａ，Ｂ，〜，Ｙ”が格納される。
【００１５】
ＶＲＡＭ１６１〜１６５に対するＣＰＵ１１による表示データ“Ａ，Ｂ，〜，Ｙ”の格納が完了すると、画面表示制御部１４は、アドレス切替器１５を介して、ＶＲＡＭ１６１〜１６５のそれぞれ格納された表示データ“Ａ，Ｂ，〜，Ｙ”に対し、それぞれが日本語文字の２０桁を指定する５つの連続したウィンドＷ１〜Ｗ５を図３（ａ）に示すように設定するとともに、各ウィンドＷ１〜Ｗ５を１桁ずつ同時に移動する。図３（ａ）の状態から日本語文字４桁分（＝英語１文字分）の移動が完了し、５桁目への移動が開始された状態が図３（ｂ）である。このように日本語文字の表示が１桁ずつ移動されることにより、“Ａ，Ｂ，〜，Ｙ”の表示が図３（ｃ）に示されるように矢印ＤＤの方向にスクロールされる。
【００１６】
スクロール表示のためにＶＲＡＭ１６１〜１６５のそれぞれから同時に出力される２０桁の表示データは、Ｐ／Ｓ変換器１８１〜１８５を経由して出力され、ＬＥＤ表示タイミング生成部１９から出力された制御信号（ＣＬＫ信号，ＬＡＴＣＨ信号、ＲＥＳＥＴ信号）とともに、ＬＥＤ表示部２０１〜２０５に与えられる。ＬＥＤ表示部２０１〜２０５は、与えられた表示データと制御信号とを用いてＬＥＤパネル２１１〜２１５に画像表示を行う。この場合、ＬＥＤ表示部２０１〜２０５は、図２に示されるように、電源制御部３０の電源３１１〜３１５からそれぞれ電源を供給されて画像表示を行っている。
【００１７】
上述の場合、制御切替器４０のスイッチ４０１〜４０５は、通常の動作時において、“オン”であって、この“オン”を示す制御信号は、電源制御部３０に与えられる。“オン”を示す制御信号を与えられた電源駆動部３２１〜３２５は、電源３１１〜３１５に商用電源であるＡＣ１００Ｖを供給し、電源３１１〜３１５は、ＬＥＤ表示部２０１〜２０５およびＬＥＤパネル２１１〜２１５にそれぞれＤＣ電源を供給し、ＬＥＤ表示部２０１〜２０５がＬＥＤパネル２１１〜２１５への表示を正常に行えるようにしている。この場合、１台ずつのＬＥＤ表示部、ＬＥＤパネル、電源、電源駆動部は、１組として機能するように配置されている。
【００１８】
このように多桁スクロール表示装置１００が正常に動作しているときに、例えばＬＥＤパネル２１２に何らかの異常が発生して、ＬＥＤパネル２１２の動作を止め保守を行いたい場合が発生したとする。保守を担当するオペレータは、ＬＥＤパネル２１２に対応する制御切替部４０のスイッチ４０２を“オフ”に切り替える。スイッチ４０２が“オフ”に切り替えられると、電源駆動部３２２は、電源３１２にＡＣ１００Ｖを供給することを停止するので、電源３１２は、ＬＥＤ表示部２０２およびＬＥＤパネル２１２へのＤＣ電源の供給を停止する。このことにより、ＬＥＤ表示部２０２およびＬＥＤパネル２１５は動作を停止するので保守が可能となる。
【００１９】
上述の例の場合、ＬＥＤ表示部２０２およびＬＥＤパネル２１５の保守が可能となるとともに、ＬＥＤ表示部２０２を除くＬＥＤ表示部は、それまでと同じように正常に動作することができる。換言すれば、多桁スクロール表示装置１００は、表示桁数が増加しても、クロックとデータとの遅延やデューティ比の変化により信号に位相差が発生しないという利点を維持しつつ、多桁スクロール表示装置１００の一部に不具合が発生した場合、その部分、例えばＬＥＤパネル２１２のみの保守が可能であり、また、その保守を行っている間でも、保守によって表示が欠落させられる部分は少しであるから、スクロール表示される情報は十分に理解できるものとして維持されるという利点がある。
【００２０】
【発明の効果】
本発明の多桁スクロール表示装置によれば、機能停止選択部は、保守を必要とするＬＥＤパネルに対応した部分のみを機能停止に設定して、保守を行えばよい。したがって、多桁スクロール表示装置の全体を機能停止状態にする必要はなく、保守の間においてもスクロールされる情報は充分に理解可能となる。
【図面の簡単な説明】
【図１】本発明の多桁スクロール表示装置の第１の実施の形態を示すブロック図である。
【図２】図１で示される電源制御部と制御切替部とを詳細に示すブロック図である。
【図３】（ａ）は、図１で示されるＶＲＡＭに対してそれぞれ設定されるデータ読み出しのためのウィンドを示す図である。
（ｂ）は、（ａ）で示されたウィンドウを日本語文字の４桁分移動させ、５桁目に移動させたところを示す図である。
（ｃ）は、（ａ）によって示された表示データに基づいて、ＬＥＤパネルへの表示がスクロールされるのを説明するための図である。
【図４】多桁スクロール表示装置の従来例を示すブロック図である。
【図５】図４の多桁スクロール表示装置における各種信号の関係を示すタイミングチャートである。
【符号の説明】
１１　ＣＰＵ、１２　発振器、１３　伝送用分周器、１４　画面表示制御部、１５　アドレス切替器、１６１〜１６５　ＶＲＡＭ、１７　バスドライバ、１８１〜１８５　パラレル／シリアル変換器、１９　ＬＥＤ表示タイミング生成部、２０１〜２０５　ＬＥＤ表示部、２１１〜２１５　ＬＥＤパネル、３０　電源制御部、３１１〜３１５　電源、３２１〜３２５　電源駆動部、４０　制御切替部、４０１〜４０５　スイッチ、１００　多桁スクロール表示装置。
【図１】
2004109322.tif 000003
【図２】
2004109322.tif 000004
【図３】
2004109322.tif 000005
【図４】
2004109322.tif 000006
【図５】
2004109322.tif 000007